【手続補正書】
【提出日】令和3年11月2日(2021.11.2)
【手続補正１】
【補正対象書類名】特許請求の範囲
【補正対象項目名】全文
【補正方法】変更
【補正の内容】
【特許請求の範囲】
【請求項１】
静電容量検知システムであって、該静電容量検知システムは、
検知線の行及び検知線の列を含むセグメント化センサと、
前記セグメント化センサに動作可能に結合された１つ以上のタッチコントローラと、
を備え、
前記１つ以上のタッチコントローラのうちの１つのタッチコントローラは、第１のグループのコネクタ及び第２のグループのコネクタを含み、
前記検知線の列または行のうちの少なくともいくつかの駆動線は、前記第１のグループのコネクタに独立して動作可能に結合され、
前記検知線の行または列のうちの少なくともいくつかの検知線は、前記第２のグループのコネクタに並列に動作可能に結合される、静電容量検知システム。
【請求項２】
前記検知線の行及び検知線の列は、タッチセンサに非連続的に結合される、請求項１に記載のシステム。
【請求項３】
前記システムは、相互静電容量検知のために構成される、請求項１に記載のシステム。
【請求項４】
前記システムは、自己静電容量検知のために構成される、請求項１に記載のシステム。
【請求項５】
静電容量検知システムであって、該静電容量検知システムは、
検知線の行及び検知線の列を含むセグメント化センサと、
前記セグメント化センサに動作可能に結合された１つ以上のタッチコントローラと、
を備え、前記１つ以上のタッチコントローラのうちの１つのタッチコントローラは、第１のグループのコネクタ及び第２のグループのコネクタを含み、
前記検知線の列または行は、前記第１のグループのコネクタに独立して動作可能に結合され、
検知線の他の行または列のうちの少なくともいくつかの検知線は、前記第２のグループのコネクタに並列に動作可能に結合され、
前記第１のグループのコネクタのうちのいくつかのコネクタは、前記セグメント化センサの第１のセグメントに関連付けられ、前記第１のグループのコネクタのうちの他のコネクタは、前記セグメント化センサの第２のセグメントに関連付けられ、
前記第２のグループのコネクタのうちのいくつかのコネクタは、前記セグメント化センサの前記第１のセグメントに関連付けられ、前記セグメント化センサの前記第２のセグメントに関連付けられる、静電容量検知システム。
【請求項６】
前記第１のセグメントは、前記セグメント化センサの前記検知線の行のうちの検知線の第１の行を含み、
前記第２のセグメントは、前記セグメント化センサの前記検知線の行のうちの検知線の第２の行を含み、
前記検知線の第１の行は、前記検知線の第２の行から電気的に絶縁される、請求項５に記載のシステム。
【請求項７】
静電容量センサであって、該静電容量センサは、
センサ線の第１の行とセンサ線の第１の列を含むセンサ線の第１のグリッドと、
センサ線の第２の行とセンサ線の第２の列を含むセンサ線の第２のグリッドと、
前記センサ線の第１のグリッドと前記センサ線の第２のグリッドとの間に画定された絶縁領域と、
前記センサ線の第１のグリッド及び前記センサ線の第２のグリッドに動作可能に結合された、１つ以上のタッチコントローラであって、該１つ以上のタッチコントローラのうちの１つのタッチコントローラは、
第１のグループのコネクタ及び第２のグループのコネクタを含み、
前記第１のグリッド及び第２のグリッドのセンサ線の列又は行のうちの１つは、前記第１のコネクタのグループに独立して動作可能に結合され、
前記第１のグリッド及び前記第２のグリッドのセンサ線の他の行または列のうちの少なくともいくつかは、前記第２のグループのコネクタに並列に動作可能に結合された、１つ以上のタッチコントローラ、とを備える、静電容量センサ。
【請求項８】
前記絶縁領域の少なくとも一部は、空隙を画定する、請求項７に記載の静電容量センサ。
【請求項９】
前記絶縁領域の少なくとも一部は、電気絶縁材料を含む、請求項７に記載の静電容量センサ。
【請求項１０】
前記第１のグリッドの１つ以上のセンサ線に動作可能に結合された第１のコネクタと、
前記第２のグリッドの１つ以上のセンサ線に動作可能に結合された第２のコネクタと、を更に備える、請求項７に記載の静電容量センサ。
【請求項１１】
少なくとも前記センサ線の第１の行は、前記センサ線の第２の行から電気的に絶縁される、請求項７に記載の静電容量センサ。
【請求項１２】
タッチコントローラであって、該タッチコントローラは、
第１のグループのコネクタ及び第２のグループのコネクタと、
プロセッサと、
非一時的記憶媒体と、を含み、前記非一時的記憶媒体は、前記非一時的記憶媒体に記憶された機械可読命令を有し、前記機械可読命令は、前記プロセッサによって実行されるときに、前記プロセッサが、
１つ以上の検知信号に応答してタッチ位置情報を判定することであって、
前記セグメント化センサの検知線の列又は行が前記第１のグループのコネクタに独立して動作可能に結合され、
前記１つ以上の検知信号の少なくともいくつかに関連付けられた前記セグメント化センサのセンサ線の行または列の少なくともいくつかが、前記第２のグループのコネクタに並列に動作可能に結合されるときに、前記タッチ位置情報が、セグメント化センサにおける位置に対応する、判定することを可能にするように適合される、タッチコントローラ。
【請求項１３】
前記機械可読命令は、前記プロセッサによって実行されるときに、前記プロセッサが、前記セグメント化センサの第１のセグメントに関連付けられた第１の検知信号と、前記セグメント化センサの第２のセグメントに関連付けられた第２の検知信号とを区別することを可能にするように更に適合される、請求項１２に記載のタッチコントローラ。
【請求項１４】
コネクタを更に備え、前記機械可読命令は、前記プロセッサによって実行されるときに、前記プロセッサが、前記コネクタの前記第１のグループの第１の部分を前記セグメント化センサの第１のセグメントと関連付け、前記コネクタの前記第１のグループの第２の部分を前記セグメント化センサの第２のセグメントと関連付けることを可能にするように更に適合される、請求項１２に記載のタッチコントローラ。
【請求項１５】
前記機械可読命令は、前記プロセッサによって実行されるときに、前記プロセッサが、前記第２のグループのコネクタのうちのいくつかのコネクタを、前記セグメント化センサの前記第１のセグメントと前記第２のセグメントの両方と関連付けることを可能にするように更に適合される、請求項１４に記載のタッチコントローラ。
【請求項１６】
前記機械可読命令は、前記プロセッサによって実行されるときに、前記プロセッサが、コネクタ割り当てに応答して、前記１つ以上の検知信号のうちの１つの検知信号を、前記セグメント化センサの第１のセグメント又は前記セグメント化センサの第２のセグメントと関連付けることであって、前記コネクタ割り当ては、前記第１のセグメント又は前記第２のセグメントの検知線に個別に動作可能に結合されるように構成されたコネクタのためのものである、関連付けることを可能にするように更に適合される、請求項１２に記載のタッチコントローラ。
【請求項１７】
前記機械可読命令は、前記プロセッサによって実行されるときに、前記プロセッサが、コネクタ割り当てに応答して、前記１つ以上の検知信号のうちの１つの検知信号を、前記セグメント化センサの第１のセグメント又は前記セグメント化センサの第２のセグメントと関連付けることであって、前記コネクタ割り当ては、前記第１のセグメントの検知線及び前記第２のセグメントの検知線に並列に動作可能に結合されるように構成されたコネクタのためのものである、関連付けることを可能にするように更に適合される、請求項１２に記載のタッチコントローラ。
【請求項１８】
前記機械可読命令は、前記プロセッサによって実行されるときに、前記プロセッサが、前記１つ以上の検知信号に関連付けられた前記セグメント化センサのセグメントに応答して、前記タッチ位置情報を変更することを可能にするように更に適合されている、請求項１２に記載のタッチコントローラ。
【請求項１９】
前記タッチ位置情報を変更することは、
前記タッチ位置情報に関連付けられた前記セグメント化センサのセグメントを判定することと、
前記セグメントに応答してオフセットを判定することと、
前記判定されたオフセットに応答して、調整されたタッチ位置を判定することと、を含む、請求項１８に記載のタッチコントローラ。
【請求項２０】
前記第１のグループのコネクタは、検知線の列に動作可能に結合されるように構成され、
前記第２のグループのコネクタは、検知線の行の少なくともいくつかに並列に動作可能に結合されるように構成される、請求項１２に記載のタッチコントローラ。
【請求項２１】
前記機械可読命令は、前記プロセッサによって実行されるときに、前記プロセッサが、
第１のコネクタに関連付けられた第１のコネクタ割り当てに応答して、第１の検知信号に関連付けられた前記セグメント化センサの第１のセグメントを識別することと、
第２のコネクタに関連付けられた第２のコネクタ割り当てに応答して、第２の検知信号に関連付けられた前記セグメント化センサの第２のセグメントを識別することと、を行うことを可能にするように更に適合され、
前記第１のコネクタ及び前記第２のコネクタは、連続的に配置され、前記第１のセグメント及び前記第２のセグメントは、前記セグメント化センサの異なるセグメントである、請求項１２に記載のタッチコントローラ。